(57)【要約】【課題】屈曲性に優れ、コネクタを細い径で十分な強度を有すること。【解決手段】フレキシブル基板１が巻き付けられるシャフト２は、前記第１及び第２の部材３，４に保持されており、前記フレキシブル基板１は、第１の接続部１ａに接続されている第１の連結部１ｂと、第２の接続部１ｃに接続されている第２の連結部１ｄと、前記第１及び第２の連結部１ｂ，１ｄ間を連結している第３の連結部１ｅとを有し、少なくとも前記第１及び第２の連結部１ｂ，１ｄの一方が前記シャフト２に巻き付けられておりかつ前記第３の連結部１ｅが前記シャフト２に固定されている。【選択図】      図１
2004342421.tif 000002
【特許請求の範囲】
【請求項１】
第１の部材と、該第１の部材と共通な一軸周りで回動可能に前記第１の部材に組み付けた第２の部材と、前記第１及び第２の部材から外へ延びているフレキシブル基板とを含むヒンジコネクタにおいて、
前記フレキシブル基板の中間部分が巻き付けられるシャフトを有し、該シャフトは、前記第１及び第２の部材に回動自在に収容保持されており、前記フレキシブル基板は、第１の接続部と、該第１の接続部に接続されている第１の連結部と、第２の接続部と、該第２の接続部に接続されている第２の連結部と、前記第１及び第２の連結部間を連結している第３の連結部とを有し、
少なくとも前記第１及び第２の連結部の一方が前記シャフトに巻き付けられておりかつ前記第３の連結部が前記シャフトに固定されて前記第１及び第２の部材に収容されていることを特徴とするヒンジコネクタ。
【請求項２】
請求項１記載のヒンジコネクタにおいて、前記第１及び第２の部材は、前記第１及び第２の部材の外へ延びる前記第１及び第２の連結部を挿通するスリットを有していることを特徴とするヒンジコネクタ。
【請求項３】
請求項１記載のヒンジコネクタにおいて、前記シャフトの軸方向における一端側の近傍には、第１の回転止め部が形成されおり、前記第１の部材には、前記第１の回転止め部に対応するように第２の回転止め部が形成されていることを特徴とするヒンジコネクタ。
【請求項４】
請求項１記載のヒンジコネクタにおいて、前記第１の部材には、前記第１及び第２の部材同士が軸方向で重なり合うように嵌め合わされたときに、軸回りの所定位置で回転を止める第１の回転止め部が形成されており、前記第２の部材には、前記第１の回転止め部に係止する第２の回転止め部が形成されていることを特徴とするヒンジコネクタ。
【請求項５】
第１の部材と、該第１の部材と共通な一軸周りで回動可能に前記第１の部材に組み付けた第２の部材と、前記第１及び第２の部材から外へ延びているフレキシブル基板とを含むヒンジコネクタと、該ヒンジコネクタによって折り畳み可能なケースに搭載されている電子機器間を相互に回路接続している電子機器において、
前記ヒンジコネクタは、前記フレキシブル基板の中間部分が巻き付けられるシャフトを有し、該シャフトは、前記第１及び第２の部材に回動自在に収容保持されており、前記フレキシブル基板は、第１の接続部と、該第１の接続部に接続されている第１の連結部と、第２の接続部と、該第２の接続部に接続されている第２の連結部と、前記第１及び第２の連結部間を連結している第３の連結部とを有し、
少なくとも前記第１及び第２の連結部の一方が前記シャフトに巻き付けられておりかつ前記第３の連結部が前記シャフトに固定されて前記第１及び第２の部材に収容されており、
前記ケースは、第１のケースと該第１のケースに回動可能に接続する第２のケースとを有し、前記第１のケースの一端側には、前記ヒンジコネクタを挿入する筒状穴が形成されており、前記第２のケースには、筒状穴の軸方向で対応して位置するよう前記ヒンジコネクタの両側部分を挿入する位置決め溝が形成されており、前記ヒンジコネクタ、前記筒状穴及び前記位置決め溝の組立部分がヒンジ部となっていることを特徴とする電子機器。
【請求項６】
請求項５記載の電子機器において、前記第１の部材には、前記第２のケースとの回転を止める第１の回転止め部が形成されており、前記第２の部材には、前記第１のケースの回転を止める第２の回転止め部が形成されていることを特徴とする電子機器。
【発明の詳細な説明】
【０００１】
【発明の属する技術分野】
本発明は、携帯電話器、ＰＤＡ（Ｐｅｒｓｏｎａｌ  Ｄｉｇｉｔａｌ  Ａｓｓｉｓｔａｎｔｓ：個人用デジタルアシスタント）、ノート型パーソナルコンピュータなどの折り畳み機能をもつ電子機器のヒンジ部に取り付けるヒンジコネクタに属する。
【０００２】
【従来の技術】
従来の電子機器としては、例えば、図２２に示す折り畳み式の携帯電話器や、図２３に示す折り畳み式の携帯電話器のような電子機器がある。なお、図２２及び図２３に示した折り畳み式の携帯電話器では、いずれも外蓋を外した状態を示している。
【０００３】
以下、図２２及び図２３に示す携帯電話器を同時に説明することにする。電子機器では、キーボードを実装したキーボード側筐体２０１，２０１′に搭載されている基板２０３，２０３′と、ＬＣＤを実装したＬＣＤ側の筐体２０５，２０５′の基板２０７，２０７′とを接続するために、フラットケーブルとしてＦＰＣ（フレキシブル・プリンテッド・サーキット）２０９，２０９′を採用している。
【０００４】
電子機器では、ＦＰＣ２０９，２０９′の固定するためにＦＰＣ２０９，２０９′の両端部の接続をコネクタ２１０，２１０′のみで行っている。ＦＰＣ２０９，２０９′は、巻かれた状態で筐体２０５，２０５′のヒンジ部２１１，２１１′に収めている。
【０００５】
また、従来のヒンジコネクタでは、屈曲性のストレスを防ぐために、片面にのみ回路を形成した薄く屈曲性をもつフレキシブルなＦＰＣ２０９，２０９′を使用している。
【０００６】
ところで、折り畳み式の携帯電話器のような電子機器では、ヒンジコネクタを採用している。ヒンジコネクタの従来技術１としては、ＦＰＣの中間部分である屈曲部分を第１の部材と第２の部材に収納して保持しているものがある。第１及び第２の部材は、第１及び第２の筐体の第１及び第２のヒンジ部へ収納されることによって、ＦＰＣをヒンジコネクタから引き出す部分でヒンジコネクタとＦＰＣとを保持している（例えば、引用文献１を参照）。
【０００７】
また、従来技術２における電子機器としては、ＦＰＣがヒンジ部の空部内に、回動軸方向に延在しながら、ヒンジ部の回動方向に旋回し且つ相互に重なり合う螺旋部を有するものが開示されている（例えば、引用文献２を参照）。
【０００８】
さらに、従来技術３における電子機器としては、ＦＰＣをロール状にしてその中心に軸芯ピンを使用し、軸芯ピンを表示キャビに固定し、よじれ及びこすれを防ぐものが開示されている（例えば、引用文献３を参照）。
【０００９】
さらに、従来技術４における電子機器としては、ＦＰＣがゼンマイ形状のフォーミング部を有し、かつフォーミング部の内側を中空にしてヒンジ部に配設したものが開示されている（例えば、引用文献４を参照）。
【００１０】
【特許文献１】
特開２００２−２５２０６９号公報（第１頁、図１）
【００１１】
【特許文献２】
特開２００２−３００２４７号公報（第１頁、図１）
【００１２】
【特許文献３】
特開平８−１３７５７７号公報（第１頁、図１）
【００１３】
【特許文献４】
特許登録第２７３０３３１号公報（第１頁、図１）
【００１４】
【発明が解決しようとする課題】
従来技術１における電子機器は、ＦＰＣの巻き回数を多くすると軸方向の寸法が大きくなるため、ＦＰＣを１回巻きしかできず、回動時のＦＰＣ巻き径の差が大きくなり、第１の部材と第２の部材との細い径化が困難であるという問題がある。
【００１５】
また、第１の部材と第２の部材は、４体に分割されており、互いに回動する口元部分のみしか係合しないため強度が弱くなるという問題がある。
【００１６】
また、ＦＰＣを４分割された第１及び第２の部材によって挟み込み固定しているため、円周外にＦＰＣの耳部を保持する固定部を設ける必要があり、４分割された第１の部材と第２の部材でＦＰＣを挟み込んでいたため、組立が煩雑になっていた。
【００１７】
また、従来の電子機器は、ヒンジ部軸方向の一端にダンパーと呼ばれる機構部品を搭載し、もう一旦に空洞を設けてその中に電気信号を通すための、ケーブル及びＦＰＣなどを通している場合が多いいが、ヒンジとしての強度不足や機器の組立が困難であるという問題があった。
【００１８】
また、強度不足や組立性を改善するために、ヒンジ部の軸方向の両端ではなく、中央部にケーブルやＦＰＣを通す方法も採用されているが、ヒンジ部に筐体の合わせ目が増えるなど、外観上の問題がある。
【００１９】
さらに、従来技術３及び４の電子機器では、機器の組み立て時にＦＰＣを軸に巻く必要があり、組立性が悪いという問題がある。
【００２０】
それ故に本発明の課題は、屈曲性に優れたヒンジコネクタを細い径で構成することができるヒンジコネクタ、及び電子機器を提供することにある。
【００２１】
また、本発明の他の課題は、組立が容易であり、強度を有し、外観上も優れ、さらに、機器の組み立て性も向上させることができるヒンジコネクタ、及び電子機器を提供することにある。
【００２２】
【課題を解決するための手段】
本発明によれば、第１の部材と、該第１の部材と共通な一軸周りで回動可能に前記第１の部材に組み付けた第２の部材と、前記第１及び第２の部材から外へ延びているフレキシブル基板とを含むヒンジコネクタにおいて、前記フレキシブル基板の中間部分が巻き付けられるシャフトを有し、該シャフトは、前記第１及び第２の部材に回動自在に収容保持されており、前記フレキシブル基板は、第１の接続部と、該第１の接続部に接続されている第１の連結部と、第２の接続部と、該第２の接続部に接続されている第２の連結部と、前記第１及び第２の連結部間を連結している第３の連結部とを有し、少なくとも前記第１及び第２の連結部の一方が前記シャフトに巻き付けられておりかつ前記第３の連結部が前記シャフトに固定されて前記第１及び第２の部材に収容されていることを特徴とするヒンジコネクタが得られる。
【００２３】
また、本発明によれば、第１の部材と、該第１の部材と共通な一軸周りで回動可能に前記第１の部材に組み付けた第２の部材と、前記第１及び第２の部材から外へ延びているフレキシブル基板とを含むヒンジコネクタと、該ヒンジコネクタによって折り畳み可能な第１のケース及び第２のケースに搭載されている電子機器間を相互に回路接続している電子機器において、前記ヒンジコネクタは、前記フレキシブル基板の中間部分が巻き付けられるシャフトを有し、該シャフトは、前記第１及び第２の部材に回動自在に収容保持されており、前記フレキシブル基板は、第１の接続部と、該第１の接続部に接続されている第１の連結部と、第２の接続部と、該第２の接続部に接続されている第２の連結部と、前記第１及び第２の連結部間を連結している第３の連結部とを有し、少なくとも前記第１及び第２の連結部の一方が前記シャフトに巻き付けられておりかつ前記第３の連結部が前記シャフトに固定されて前記第１及び第２の部材に収容されており、前記第１のケースの一端側には、前記ヒンジコネクタを挿入する筒状穴が形成されており、前記第２のケースには、筒状穴の軸方向で対応して位置するよう前記ヒンジコネクタの両側部分を挿入する位置決め溝が形成されており、前記ヒンジコネクタ、前記筒状穴及び前記位置決め溝の組立部分がヒンジ部となっていることを特徴とする電子機器が得られる。
【００２４】
【発明の実施の形態】
以下に、本発明に係るヒンジコネクタの第１実施の形態例を説明する。図１及び図２は第１実施の形態例におけるヒンジコネクタを示している。
【００２５】
図１及び図２を参照して、ヒンジコネクタ１−１は、フレキシブル基板であるＦＰＣ１と、ＦＰＣ１の中間部分が巻き付けられるシャフト２と、固定側となるカプセル形状の第１の部材３と、第１の部材３と共通な一軸周りで回動可能に第１の部材３に組み付けられている可動側となるカプセル形状の第２の部材４とを有している。
【００２６】
ＦＰＣ１は、第１及び第２の部材３，４内で長手方向における中間部分が屈曲性をもって巻回されて第１及び第２の部材３，４から外へ延びている。ＦＰＣ１は、図３にも示すように、第１の接続部１ａと、第１の接続部１ａに接続されている第１の連結部１ｂと、第２の接続部１ｃと、第２の接続部１ｃに接続されている第２の連結部１ｄと、第１及び第２の連結部１ｂ，１ｄ間を連結している第３の連結部１ｅとを有している。
【００２７】
第１の接続部１ａの一面である搭載面には、ＦＰＣ１の導体が設けられており、導体上に図示しないコネクタが搭載されて接続される。第２の接続部１ｃの一面である搭載面には、ＦＰＣ１の導体が設けられており、導体上に図示しないコネクタが搭載されて接続される。
【００２８】
この実施の形態例におけるＦＰＣ１では、第１乃至第３の連結部１ｂ，１ｄ，１ｅが帯長形状に作られており、互いに平行な第１及び第２の連結部１ｂ，１ｄ間を直交するように第３の連結部１ｅによって第１及び第２の連結部１ｂ，１ｄを接続している。第１乃至第３の連結部１ｂ，１ｄ，１ｅは平面から見ると略クランク形状を呈している。
【００２９】
第２の連結部１ｄは、図４にも示すシャフト２に巻き付けられており、第３の連結部１ｅがシャフト２に固定されている。第３の連結部１ｅ側における第１及び第２の連結部１ｂ，１ｄは、第１及び第２の部材３，４内に収容されている。
【００３０】
なお、第２の連結部１ｄがシャフト２に巻き付けられているが、第１の連結部１ｂをシャフト２に巻き付け、かつ第３の連結部１ｅをシャフト２に固定するようにしてもよい。
【００３１】
シャフト２は、第１及び第２の部材３，４に回動自在に収容されて保持されている。図５にも示すように、シャフト２の軸方向における一端側の近傍には、第１の回転止め部２ａが形成されている。第１の部材３には、シャフト２の第１の回転止め部２ａに対応するように第２の回転止め部３ａが形成されている。
【００３２】
さらに、固定側となる第１の部材３には、第１及び第２の部材３，４同士が軸方向で重なり合うように嵌め合わされたときに、軸回りの所定位置で回転を止める第１の回転止め部３ｂが形成されている。可動側となる第２の部材４には、図６にも示すように、第１の部材３の第１の回転止め部３ｂに係止するように第２の回転止め部４ｂが形成されている。
【００３３】
また、第１の部材３には、第１の回転止め部３ｂとは軸方向で反対側となる外周面の一部に、第１の部材３を保持する図示しないケース（筐体）との回転を止める凹状の第１の回転止め部３ｃが形成されている。第２の部材４には、回転止め部４ｂとは軸方向で反対側となる外周面の一部に、第２の部材４を保持する図示しないケース（筐体）との回転を止める凹状の第１の回転止め部４ｃが形成されている。なお、第１及び第２の回転止め部３ｂ，４ｂは、これらの位置を変更することによって回転角度（実施の形態例では１８０度）を変えることができる。
【００３４】
第１の部材３は、第１の連結部１ｂを通すための第１のスリット３ｆを有している。第２の部材４は、図６に示すように、第２の連結部１ｄを通すための第２のスリット４ｆを有している。
【００３５】
また、シャフト２の両端近傍には、シャフト２の外周面に一対の環状溝２ｆ，２ｇが形成されている。環状溝２ｆ，２ｇには、第１及び第２の部材３，４をシャフト２に固定するための平板かつＥ型形状の止め輪５ａ，５ｂが嵌め込まれる。
【００３６】
図７乃至図９は、ヒンジコネクタ１−１の組立を示している。図１乃至図６とともに図７乃至図９を参照して、ヒンジコネクタ１−１は、予め、両面テープ１１を貼り付けた第３の連結部１ｅをシャフト２に固定する。さらにＦＰＣ１の第３の連結部１ｅ側における第２の連結部１ｄをシャフト２の外周にかつ同心円上に複数回巻き付ける。そして、図７に矢印Ａによって示したように、ＦＰＣ１を巻き付けたシャフト２を第１の部材３に通し軸方向に被せた後、さらに図８に矢印Ｂによって示したように、図７の矢印Ａ方向とは逆方向に第２の部材４を移動してシャフト２に通す。次に、図９に示した第１及び第２の部材３，４をシャフト２に固定するための止め輪５をシャフトの環状溝２ｆ，２ｇに嵌め込むと、図１に示したヒンジコネクタが完成する。
【００３７】
ところで、第１実施の形態例によって説明したＦＰＣ１は、第１及び第２の接続部１ａ，１ｃ間に信号線が４０芯設けられているものであるが、信号線を８０芯としたような多数芯数の場合は、ＦＰＣ１の第３の連結部１ｅの一面上に位置している導体の数も多くなるので、第３の連結部１ｅが幅広となる。このため、シャフト２の円周長さに収まらないため、第１実施の形態例のようなヒンジコネクタ１−１の構成では、ＦＰＣ１自身が干渉して巻くことができない。
【００３８】
そこで、図１０及び図１１に示すようなヒンジコネクタとする。図１０乃至図１１は、ヒンジコネクタ１−２の第２実施の形態例を示している。第２実施の形態例において第１実施の形態例のヒンジコネクタ１−１と同じ機能を有する部品にといては、同じ符号を付して説明する。
【００３９】
図１２に第２実施の形態例として示したシャフト２は、第１実施の形態例のシャフト２と若干異なるが、機能は同じである。また、図１３に第２実施の形態例として示したＦＰＣ１は、第２の接続部１ｃ及び第２のヒンジ部１ｄを第１実施の形態例とは逆に向け、複数回巻くことが可能な形状としている。
【００４０】
ただし、この場合は、例えば、電子機器のボードとボードコネクタ実装面とが第１実施の形態例とは逆に裏側になってしまうので、図１０及び図１１に示したように、折り曲げ部１ｆを設けて実装面を合わせている。また、実装面は、ＦＰＣ１をシャフト２に巻く方向とは逆になるため、回転時のＦＰＣ１が締まる状態、もしくは緩む状態は逆になる。他の構成及び組立は第１実施の形態例と同じ構成となる。
【００４１】
図１４及び図１５は、カメラモジュール搭載型電子機器に用いるヒンジコネクタ１−３の第３実施の形態例を示している。第３実施の形態例におけるヒンジコネクタ１−３は、第１実施の形態例のヒンジコネクタ１−１と若干異なるが機能は同じであるため、同じ部分には同じ符号を付して説明を省略する。
【００４２】
ヒンジコネクタ１−３は、第１の接続部１ａと接続している第１の連結部１ｂ′が第１の部材３の軸方向に長い寸法の幅広な形状となっている。第１の接続部１ａの一面である搭載面には、カメラモジュール２１が搭載されている。
【００４３】
図１６乃至図１８は、第１実施の形態例によって説明したヒンジコネクタ１−１を使用した折り畳み型の電子機器を示している。電子機器は、第１実施の形態例によって説明したヒンジコネクタ１−１と、主表示装置側のケース（第１のケース）６と、キーボード側のケース（第２のケース）７と、ヒンジコネクタ１−１のシャフト２を受けるキャップ８と、ダンパー９と、副（背面）表示装置側のケース１０と、バッテリー側に相当するケース１１とを有している。なお、図１７に示した矢印Ｃは、電子機器の折り畳み方向を示している。
【００４４】
図１８の分解した状態にも示すように、主表示装置側のケース６の一端側には、スリット６１と筒状穴６２とが形成されている。キーボード側のケース７には、位置決め溝７１が形成されている。主表示装置側のケース６に形成されている筒状穴６２の奥には、ヒンジコネクタ１−１の第２の回転止め部３ｃと合わさる凸部が形成されている。キーボード側のケース７における位置決め溝７１の奥には、ヒンジコネクタ１−１の第１の回転止め部４ｃと合わされる凸部が形成されている。
【００４５】
なお、第１の回転止め部３ｃ，４ｃは凹状であるが、第１の回転止め部３ｃ，４ｃを凸状とした場合には、主表示装置側のケース６に形成されている筒状穴の６２の奥に凸状の第１の回転止め部３ｃと合わせる凹部を形成し、キーボード側のケース７の位置決め溝７１奥には、凸状の第１の回転止め部４ｃと合わされる凹部が形成される。
【００４６】
以下、図１９乃至図２１をも参照して、電子機器の組み立てを説明する。図１９及び図２０に示すように、電子機器の組み立てでは、ヒンジコネクタ１−１の軸方向片側を主表示装置側のケース６のスリット６１をもった筒状穴６２へ軸方向に挿入し、軸方向のもう片方をキーボード側のケース７の位置決め溝７１に挿入する。
【００４７】
さらに、図２１に示すように、軸方向の外側からヒンジコネクタ１−１のシャフト２を受けるキャップ８を被せ、軸方向のもう一方の外側からダンパー９を挿入してヒンジ部とし、最後に蓋となる副（背面）表示装置側のケース１０とバッテリー側に相当するケース１１とを装着すると、図１６及び図１７に示した折畳式の電子機器が完成する。
【００４８】
なお、図１６乃至図２１によって第１実施の形態例によって説明したヒンジコネクタ１−１を使用した折り畳み型の電子機器を説明したが、第２及び第３実施の形態例によって説明したヒンジコネクタ１−２，１−３を図１６乃至図２１によって説明した電子機器に組み込むことも可能である。
【００４９】
【発明の効果】
以上、実施の形態例によって説明したように、本発明に係るヒンジコネクタ、及び電子機器によれば、回動中心に貫通するシャフトを設け、ＦＰＣをシャフトの周りに複数回渦状に巻き付けているため、回転時のＦＰＣ巻き径の差が小さくなり屈曲性に優れたヒンジコネクタを細い径で構成することができる。
【００５０】
また、ヒンジコネクタは、２体で構成された互いに回転する円筒状のカプセルの回転中心をシャフトが貫通しており、そのシャフトに第１及び第２の部材がそれぞれ固定されているため、ヒンジ部品としての十分な強度を有するものとなる。
【００５１】
また、ヒンジコネクタは、ＦＰＣを両面テープなどでシャフトに固定しており、第１及び第２の部材の２体で構成しているため、コネクタの組立が容易となる。
【００５２】
また、ヒンジコネクタ、及び電子機器は、ヒンジとしての強度を有し外観上も優れ、さらに、機器の組み立て性も向上することができる。
【００５３】
また、ヒンジコネクタは、予めシャフトに巻かれたＦＰＣを第１及び第２の部材内に納めているため、機器の組み立て性が向上する。
【図面の簡単な説明】
【図１】本発明に係るヒンジコネクタの第１実施の形態例を示す斜視図である。
【図２】図１に示したヒンジコネクタを分解して示した斜視図である。
【図３】図１に示したヒンジコネクタのＦＰＣを展開して示した斜視図である。
【図４】図１に示したヒンジコネクタのシャフトを示す斜視図である。
【図５】図１に示したヒンジコネクタのシャフトに取り付けた第１の部材を示す斜視図である。
【図６】図１示したヒンジコネクタの背面図である。
【図７】図１に示したヒンジコネクタの組立工程を示す斜視図である。
【図８】図１に示したヒンジコネクタの組立工程を示す斜視図である。
【図９】図１に示したヒンジコネクタの組立工程を示す斜視図である。
【図１０】本発明に係るヒンジコネクタの第２実施の形態例を示す斜視図である。
【図１１】図１０に示したヒンジコネクタを分解して示した斜視図である。
【図１２】図１０に示したヒンジコネクタのシャフトを示す斜視図である。
【図１３】図１０に示したヒンジコネクタのＦＰＣを展開して示した斜視図である。
【図１４】本発明に係るヒンジコネクタにカメラモジュールを搭載した実施例を示す斜視図である。
【図１５】図１４に示したヒンジコネクタの背面図である。
【図１６】図１に示したヒンジコネクタを電子機器に組み込んだ実施例を示す斜視図である。
【図１７】図１６に示した電子機器を背面から見た斜視図である。
【図１８】図１６に示した電子機器を分解して示した斜視図である。
【図１９】図１６に示した電子機器の組立工程を示す斜視図である。
【図２０】図１６に示した電子機器の組立工程を示す斜視図である。
【図２１】図１６に示した電子機器の組立工程を示す斜視図である。
【図２２】従来技術１における電子機器を示す斜視図である。
【図２３】従来技術２における電子機器を示す斜視図である。
【符号の説明】
１，２０９，２０９′    ＦＰＣ
１ａ    第１の接続部
１ｂ，１ｂ′    第１の連結部
１ｃ    第２の接続部
１ｄ    第２の連結部
１ｅ    第３の連結部
１−１，１−２，１−３    ヒンジコネクタ
２    シャフト
２ａ，３ｂ，３ｃ，４ｃ    第１の回転止め部
３ａ，４ｂ    第２の回転止め部
３    第１の部材
３ｆ    第１のスリット
４    第２の部材
４ｆ    第２のスリット
５ａ，５ｂ    止め輪
６，７，１０，１１，ケース
８    キャップ
９    ダンパー
２１    カメラモジュール
６２    筒状穴
７１    位置決め溝
２０１，２０１′    キーボード側筐体
２０３，２０３′，２０７，２０７′    基板
２０５，２０５′    筐体
２１０，２１０′    コネクタ
【図１】
2004342421.tif 000003
【図２】
2004342421.tif 000004
【図３】
2004342421.tif 000005
【図４】
2004342421.tif 000006
【図５】
2004342421.tif 000007
【図６】
2004342421.tif 000008
【図７】
2004342421.tif 000009
【図８】
2004342421.tif 000010
【図９】
2004342421.tif 000011
【図１０】
2004342421.tif 000012
【図１１】
2004342421.tif 000013
【図１２】
2004342421.tif 000014
【図１３】
2004342421.tif 000015
【図１４】
2004342421.tif 000016
【図１５】
2004342421.tif 000017
【図１６】
2004342421.tif 000018
【図１７】
2004342421.tif 000019
【図１８】
2004342421.tif 000020
【図１９】
2004342421.tif 000021
【図２０】
2004342421.tif 000022
【図２１】
2004342421.tif 000023
【図２２】
2004342421.tif 000024
【図２３】
2004342421.tif 000025